(57)【特許請求の範囲】
【請求項１】
踏み面と、前記踏み面の前端部に位置する段鼻部と、前記段鼻部から下方に垂下した立面部と、を有する階段と、
前記階段の踏み面に敷設された踏み面敷設用カーペットと、前記階段の段鼻部に敷設された段鼻敷設用カーペットと、を備え、
前記踏み面敷設用カーペットと段鼻敷設用カーペットが、それぞれ独立したカーペットから構成され、
前記段鼻敷設用カーペットが、前記段鼻部及び立面部を覆うように敷設されており、
前記段鼻敷設用カーペットが、基布にタフトされたパイルと、フェルト層を有するバッキング層と、を有し、
前記踏み面敷設用カーペットが、基布にタフトされたパイルと、合成樹脂層を有するバッキング層と、を有し、
前記段鼻敷設用カーペットのパイルのタフト方向が、前記段鼻部の横方向であり、段鼻部の前後方向においてパイル高が異なる部分を有する、ことを特徴とするカーペット階段構造。
【請求項２】
前記階段が、前記立面部に連設され且つ段鼻部の反対側に位置する下面部をさらに有し、
前記段鼻敷設用カーペットが、前記段鼻部、立面部及び下面部を覆うように敷設されている、請求項１に記載のカーペットの階段構造。
【請求項３】
前記踏み面敷設用カーペットのパイルのタフト方向が、前記踏み面の横方向である、請求項１または２に記載のカーペット階段構造。
【請求項４】
前記踏み面敷設用カーペットと段鼻敷設用カーペットの境界両側における踏み面敷設用カーペットのパイル高と段鼻敷設用カーペットのパイル高が同じ、又は、前記境界両側における踏み面敷設用カーペットのパイル高よりも段鼻敷設用カーペットのパイル高が１．５ｍｍ以下の範囲で高い、請求項１〜３のいずれか一項に記載のカーペット階段構造。
【請求項５】
前記段鼻敷設用カーペットの表面と踏み面敷設用カーペットの表面との色相の平均値の差又は明度の平均値の差が、２．０以上である、請求項１〜４のいずれか一項に記載のカーペット階段構造。
【発明の詳細な説明】
【技術分野】
【０００１】
本発明は、一般住宅、マンション、オフィスビルなどの各種構造物のカーペット階段構造に関する。
【背景技術】
【０００２】
従来、階段の踏み面及び段鼻部を覆うように、階段用床材が階段に敷設されている。
かかる階段用床材としては、樹脂製タイルやカーペットなどが用いられている。カーペットは、防音性がある上、踏み感触が良いので、階段用床材として好まれている。
例えば、特許文献１には、カーペット生地と弾力性のある硬質合成樹脂シートが一体的に積層された成型カーペット単位が、階段の踏み面及び段鼻部に敷設された、カーペット階段構造が開示されている。
かかる特許文献１の階段構造に用いられている成形カーペット単位は、硬質合成樹脂シートを有するので、比較的硬く、衝撃吸収性が悪いという問題点がある。特に、階段の段鼻部は、足先が当たる部分であり、その衝撃吸収性が悪いと、足先などが当たった際の痛みを緩和し難いという問題点がある。さらに、万一転んだときには、段鼻部に頭部などの身体がぶつかる場合があるので、十分な安全を確保し難いという問題点もある。また、特許文献１の階段構造では、硬質合成樹脂シートを有する成形カーペット単位が段鼻部に敷設されているので、様々な形状の階段構造に柔軟に対応できず、段鼻部の形状によっては浮きや剥がれを生じ、耐久性や安定性に欠ける場合がある。
【０００３】
また、特許文献２には、カーペット生地の下側に発泡ウレタン樹脂からなる発泡体層が積層されたものの縁部に塩化ビニル製縁取部材を設けたカーペット本体が、階段の踏み面及び段鼻部に敷設された、カーペット階段構造が開示されている。
かかる特許文献２の階段構造に用いられているカーペット本体は、発泡ウレタン樹脂からなる発泡体層の裏面側に加熱・加圧加工により折り曲げ用凹溝を設けて段鼻部に沿わせているので、最も衝撃吸収性を要する段鼻部の頂点において発泡体層が圧縮された構造となっており、十分な衝撃吸収性が得られないという問題点を有する。また、特許文献２の課題からも明らかなように、カーペット生地の下側に樹脂からなる発泡体層を設けた場合、段鼻部の形状に合わせて柔軟に屈曲させて敷設することが困難であり、段鼻部の形状によっては浮きや剥がれを生じ、耐久性や安定性に欠ける場合がある。加えて、特許文献２のカーペット本体には、塩化ビニル製縁取部材が設けられているので、その部分において踏み感触が悪くなる上、デザイン上の制約も有する。
また、階段の踏み面や段鼻部は、滑り難くする必要があるが、特許文献１及び２で用いられているカーペットには、滑り難くする工夫が何ら為されていない。
【先行技術文献】
【特許文献】
【０００４】
【特許文献１】実公平１−４４１３６号公報
【特許文献２】特公平２−１４０４７号公報
【発明の概要】
【発明が解決しようとする課題】
【０００５】
本発明の目的は、段鼻部における衝撃吸収性に優れ、歩行者の踏み感触も良く、さらに、歩行者が滑り難いカーペット階段構造を提供することである。
【課題を解決するための手段】
【０００６】
本発明のカーペット階段構造は、踏み面と、前記踏み面の前端部に位置する段鼻部と、前記段鼻部から下方に垂下した立面部と、を有する階段と、前記階段の踏み面に敷設された踏み面敷設用カーペットと、前記階段の段鼻部に敷設された段鼻敷設用カーペットと、を備え、前記踏み面敷設用カーペットと段鼻敷設用カーペットが、それぞれ独立したカーペットから構成され、前記段鼻敷設用カーペットが、前記段鼻部及び立面部を覆うように敷設されており、前記段鼻敷設用カーペットが、基布にタフトされたパイルと、フェルト層を有するバッキング層と、を有し、前記踏み面敷設用カーペットが、基布にタフトされたパイルと、合成樹脂層を有するバッキング層と、を有し、前記段鼻敷設用カーペットのパイルのタフト方向が、前記段鼻部の横方向であり、段鼻部の前後方向においてパイル高が異なる部分を有する。
【０００７】
本発明の好ましいカーペット階段構造は、前記階段が、前記立面部に連設され且つ段鼻部の反対側に位置する下面部をさらに有し、前記段鼻敷設用カーペットが、前記段鼻部、立面部及び下面部を覆うように敷設されている。
【０００８】
本発明の好ましいカーペット階段構造は、前記踏み面敷設用カーペットのパイルのタフト方向が、前記踏み面の横方向である。
【０００９】
本発明の好ましいカーペット階段構造は、前記段鼻敷設用カーペットの表面と踏み面敷設用カーペットの表面との色相の平均値の差又は明度の平均値の差が、２．０以上である。
【００１０】
本発明の好ましいカーペット階段構造は、前記踏み面敷設用カーペットと段鼻敷設用カーペットの境界両側における踏み面敷設用カーペットのパイル高と段鼻敷設用カーペットのパイル高が同じ、又は、前記境界両側における踏み面敷設用カーペットのパイル高よりも段鼻敷設用カーペットのパイル高が１．５ｍｍ以下の範囲で高いものである。
【発明の効果】
【００１１】
本発明のカーペット階段構造は、段鼻敷設用カーペットがフェルト層を有するので、段鼻部における衝撃吸収性に優れ且つ歩行者の踏み感触も良い。さらに、本発明のカーペット構造は、段鼻敷設用カーペットのパイルのタフト方向が段鼻部の横方向であり且つ段鼻部の前後方向においてパイル高が異なる部分を有するので、段鼻部において歩行者の足裏が滑り難くなると共に、歩行者が足裏でパイルの形状を感得することができるので、段鼻を確認しながら階段を安全に昇降することができる。加えて、本発明のカーペット階段構造は、フェルト層が柔軟に様々な形状の段鼻に対応して屈曲することができるので、段鼻部の浮きや剥がれが生じ難く、耐久性に優れ、長期間に渡って安定した構造を維持することができる。また、踏み面敷設用カーペットが合成樹脂層を有するバッキング層を有するので、歩行者の荷重に対する耐久性に優れ、長期間の使用に適する。
【図面の簡単な説明】
【００１２】
【図１】本発明のカーペット階段構造の断面を含む一部省略斜視図。
【図２】図１の要部拡大断面図。
【図３】段鼻敷設用カーペットの、一部のパイルを省略した斜視図。
【図４】図３のＩＶ−ＩＶ線で切断した（ゲージ方向に沿って切断した）中間部省略拡大断面図。
【図５】図３のＶ−Ｖ線で切断した（タフト方向に沿って切断した）拡大断面図。
【図６】踏み面敷設用カーペットの、一部のパイルを省略した斜視図。
【図７】図６のＶＩＩ−ＶＩＩで切断した（ゲージ方向に沿って切断した）中間部省略拡大断面図。
【図８】段鼻敷設用カーペット及び踏み面敷設用カーペットが一体的に構成されたカーペットの、一部のパイルを省略した斜視図。
【図９】図８のＩＸ−ＩＸ線で切断した（ゲージ方向に沿って切断した）中間部省略拡大断面図。
【発明を実施するための形態】
【００１３】
以下、本発明について図面を参照しつつ説明する。
なお、本明細書において、便宜上、方向を示す用語として、「上」は、階段を登っていく側を、「下」は、これと反対に階段を降りていく側を、「前」は、蹴上げ面から離れる側を、「後」は、これと反対に蹴上げ面に近づく側を、「横方向」は、上下方向と前後方向の双方に直交する方向を、それぞれ意味する。
本明細書において、「ＰＰＰ〜ＱＱＱ」という記載は、ＰＰＰ以上ＱＱＱ以下を意味する。
【００１４】
＜カーペット階段構造＞
図１及び図２において、本発明のカーペット階段構造１は、階段と、階段に敷設されたカーペットと、を備える。
階段は、複数の踏み面２と、各踏み面２の後端部から略直交状に立ち上げられた複数の蹴上げ面３と、を有する。踏み面２の前端部に、段鼻部４が設けられている。
カーペット５，６は、前記階段の踏み面２及び段鼻部４に少なくとも敷設されており、好ましくは、蹴上げ面３にも敷設される。なお、カーペット５，６は、踏み面２及び段鼻部４（及び必要に応じて蹴上げ面３）の全体に敷設されていてもよいし、或いは、踏み面２及び段鼻部４（及び必要に応じて蹴上げ面３）の一部に敷設されていてもよい。カーペット５，６が踏み面２及び段鼻部４（及び必要に応じて蹴上げ面３）の一部に敷設される場合としては、例えば、踏み面２及び段鼻部４（及び必要に応じて蹴上げ面３）の横方向の両側又は片側の一部領域を除いて、カーペットが敷設される場合などが挙げられる。
以下、階段の踏み面に敷設されるカーペットを踏み面敷設用カーペット５といい、階段の段鼻部に敷設されるカーペットを段鼻敷設用カーペット６という。
【００１５】
段鼻敷設用カーペット６及び踏み面敷設用カーペット５は、基布６１，５１にタフトされたパイルを有する。
段鼻敷設用カーペット６及び踏み面敷設用カーペット５は、１枚のカーペットで構成されていてもよいが、本実施形態では、段鼻敷設用カーペット６及び踏み面敷設用カーペット５は、それぞれ独立したカーペットで構成されている。
【００１６】
段鼻敷設用カーペット６は、例えば、そのパイル７のタフト方向が前記段鼻部４の横方向となるように、段鼻部４に敷設されている。
段鼻部４の横方向がパイル７のタフト方向となるように段鼻敷設用カーペット６を敷設することにより、段鼻部４において、足裏が滑る方向（段鼻部４の前後方向）と略直交する方向にパイル７の列が並んでいる。このため、段鼻部４における足裏の滑りを効果的に防止できると共に、歩行者が足裏でパイル７の列を感得することができるので、段鼻を確認しながら階段を安全に昇降することができる。
【００１７】
また、踏み面敷設用カーペット５は、そのパイル８のタフト方向を前記踏み面２の横方向又は前後方向の何れの方向にして踏み面２に敷設してもよいが、好ましくは、踏み面敷設用カーペット５のパイル８のタフト方向は、段鼻敷設用カーペット６と同様に、横方向とされている。踏み面２において足裏が滑ったとしても、段鼻部４において滑り難ければ、階段から滑ることを防止できるが、踏み面２においてもパイル８の列が横方向に並んでいることによって、踏み面２でも足裏の滑りを防止できる。一方で、そのパイル８のタフト方向を前記踏み面２の前後方向として踏み面敷設用カーペット５を踏み面２に敷設した場合には、段鼻部４のパイル列と感触が異なるので、歩行者が足裏でパイル列の違いを感得しやすくなり、段鼻部４を足裏で確認しながら昇降することがより容易になる。
【００１８】
さらに、段鼻敷設用カーペット６及び踏み面敷設用カーペット５は、それぞれ基布６１，５１の下面側にバッキング層６３，５３を有する。
段鼻敷設用カーペット６のバッキング層６３は、例えば、フェルト層を有する。フェルト層は比較的柔らかく、且つ、衝撃吸収性に優れている。このため、バッキング層６３としてフェルト層を有する段鼻敷設用カーペット６は、段鼻部４が複雑な形状であってもそれを均等に覆うことができ、段鼻部４の形状に依存しないで（例えば、角張った段鼻部）、段鼻部４に足先などが当たった際の痛みを緩和できる上、足先で段鼻敷設用カーペット６をつかむ事ができるのでグリップ性にも優れる。加えて、本発明のカーペット階段構造１は、フェルト層が柔軟に様々な形状の段鼻に対応して屈曲し得るので、段鼻部４に対して浮きや剥がれが生じ難く、耐久性に優れ、長期間に渡って安定した構造を維持することができる。
踏み面敷設用カーペット５のバッキング層５３は、例えば、合成樹脂層を有する。踏み面敷設用カーペット５は歩行者の荷重が集中するが、バッキング層５３として合成樹脂層を有する踏み面敷設用カーペット５は、耐久性に優れるので、長期間の使用に適する。
【００１９】
段鼻敷設用カーペット６のパイル７は、そのパイル高（基布からパイルの頂部まで長さ）が段鼻部４の前後方向において異なっている部分を有する。このように前後方向でパイル高が異なるパイル７を有するように段鼻敷設用カーペット６を段鼻部４に敷設することにより、パイル７に基づく凹凸が前後方向に生じるので、歩行者の足裏が滑ることを効果的に防止できると共に、歩行者が足裏でパイルの形状を感得することができるので、段鼻を確認しながら階段を安全に昇降できる。特に、段鼻敷設用カーペット６のバッキング層６３がフェルト層を有するので、足先で段鼻敷設用カーペット６のパイル７をつかみ易くなるので、グリップ性がさらに高まる。
また、段鼻敷設用カーペット６のパイル７は、段鼻部４の横方向において、パイル高が異なる部分を有していてもよいし、或いは、同じパイル高であってもよい。
【００２０】
踏み面敷設用カーペット５のパイル８は、踏み面２の前後方向及び横方向において、それぞれ、そのパイル高が異なる部分を有していてもよいし、或いは、同じパイル高であってもよい。
本実施形態では、踏み面敷設用カーペット５のパイル８は、踏み面２の前後方向及び横方向において、同じパイル高である。
【００２１】
段鼻敷設用カーペット６と踏み面敷設用カーペット５の境界両側における段鼻敷設用カーペット６のパイル７と踏み面敷設用カーペット５のパイル８は、それぞれそのパイル高が異なっていてもよいし、或いは、同じパイル高であってもよい。
好ましくは、前記境界両側における段鼻敷設用カーペット６のパイル高と踏み面敷設用カーペット５のパイル高は同じ、又は、前記境界両側における踏み面敷設用カーペット５のパイル高よりも段鼻敷設用カーペット６のパイル高が１．５ｍｍ以下の範囲で高いものである。つまり、（踏み面敷設用カーペット５のパイル高−段鼻敷設用カーペット６のパイル高）＝０、又は、０＜（段鼻敷設用カーペット６のパイル高−踏み面敷設用カーペット５のパイル高）≦１．５ｍｍであることが好ましい。
【００２２】
段鼻敷設用カーペット６のパイル高が、踏み面敷設用カーペット５のパイル高よりも高ければ、段鼻部４の位置を足裏でより感得し易い上、足先で段鼻敷設用カーペット６のパイル７をつかみ易くなってグリップ性にも優れる。段鼻敷設用カーペット６のパイル高は、踏み面敷設用カーペット５のパイル高よりも１ｍｍ以下の範囲で高いことがより好ましい。一方、歩行者に対して両パイル７，８の高低差を感得しやすくし、グリップ性も向上させるためには、段鼻敷設用カーペット６のパイル高は、好ましくは踏み面敷設用カーペット５のパイル高よりも０．５ｍｍ以上の範囲で高く、より好ましくは０．８ｍｍ以上の範囲で高いことが効果的である。
また、前記境界両側において、段鼻敷設用カーペット６のパイル高と踏み面敷設用カーペット５のパイル高が同じあれば、段鼻敷設用カーペット６と踏み面敷設用カーペット５の境界部分の高低差が実質的になくなるので、段鼻敷設用カーペット６と踏み面敷設用カーペット５の一体感が高まり意匠性に優れるという効果を奏する。
【００２３】
段鼻敷設用カーペット６及び踏み面敷設用カーペット５の色彩又は柄は、それぞれ異なっていてもよいし、或いは、同じでもよい。
好ましくは、少なくとも段鼻敷設用カーペット６と踏み面敷設用カーペット５の境界両側における段鼻敷設用カーペット６の色彩又は柄と、踏み面敷設用カーペット５の色彩又は柄とは、異なっており、より好ましくは、段鼻敷設用カーペット６の全体の色彩又は柄と、踏み面敷設用カーペット５の全体の色彩又は柄とは、異なっている。
なお、柄が異なるとは、視覚的に識別できる模様を意味し、例えば、色彩によって塗り分けられた色模様、色彩は同じでもパイル高やパイルの種類などの相違によって生じる模様などが挙げられる。
少なくとも前記境界両側における段鼻敷設用カーペット６の色彩又は柄と踏み面敷設用カーペット５の色彩又は柄とが異なっていると、段鼻部４と踏み面２を容易に見分けることができ（視認性に優れる）、階段昇降時の踏み外しを防止できる。
さらに、段鼻敷設用カーペット６の表面と、踏み面敷設用カーペット５の表面との色相の差又は明度の差（すなわち、色差）を所定以上にすることによって、段鼻部４をより視認しやすくなる。
【００２４】
具体的には、段鼻敷設用カーペット６の表面と、踏み面敷設用カーペット５の表面との色相の差又は明度の差は、ＪＩＳ  Ｚ８７２０に準じ、測色計によって測定した色相の平均値の差又は明度（Ｌ値）の平均値の差が２．０以上であることが好ましく、５．０以上であることがより好ましい。
色相又は明度（Ｌ値）の差が２．０以上であれば、老人や幼児などでも容易に段鼻部４を視認でき、さらに、それが５．０以上であれば、例えば、白内障患者などの視力が低下している人であっても容易に段鼻部４を視認できるようになり、踏み外しによる転倒などを防止できる。さらに、色相の差及び明度（Ｌ値）の差が何れも２．０以上である場合はさらに効果的であり、それらの差が何れも５．０以上であることがより効果的である。
また、段鼻敷設用カーペット６のパイル７の少なくとも表面に発光物質を具備させることにより、暗闇などにおいても段鼻部４を視認できるので好ましい。
【００２５】
＜階段＞
本発明のカーペット階段構造１を適用できる階段は、特に限定されず、例えば、マンション、商業施設、教育施設、医療福祉施設、オフィスビル、一般住宅などの各種構造物が挙げられる。
階段は、踏み面２と蹴上げ面３が略直交状に構築され、この踏み面２と蹴上げ面３が多段状に上下に連続した構造を有する段鼻部４は、踏み面２の前端部に位置している。
この段鼻部４は、その前端が蹴上げ面３よりも前方へ突設されている。従って、段鼻構造は、踏み面２と同一平面上にある段鼻部４と、段鼻部４の前端から下方に垂下した立面部４１と、段鼻部４の反対側に位置し且つ段鼻立面部４１及び蹴上げ面３に略直交した下面部４２と、を有する。
もっとも、段鼻部４の前端が蹴上げ面３と同一平面上にある階段に本発明を適用することもできる。
【００２６】
なお、前記略直交とは、踏み面２と蹴上げ面３との成す内角が９０度という厳密な意味に解してはならず、前記内角が９０度±１０度を含む。一般的な階段は、前記内角が、８０度〜９０度である場合が多い。
また、階段の踏み面２は、勾配がついていてもよい。この踏み面２の勾配は、踏み面２が段鼻部４に近づくにつれて徐々に低くなることをいう。勾配の角度は、通常、１度〜５度程度である。なお、前記勾配の角度は、踏み面２と水平面の成す角をいう。
段鼻部４の前後方向長さＬは、３ｍｍ〜６ｍｍ程度である。
【００２７】
＜段鼻敷設用カーペット＞
段鼻敷設用カーペット６は、図３〜図５に示すように、基布６１と、基布６１の上面から突出し且つ基布６１にタフト（植設）されたパイル７と、基布６１の下面に積層された接着層６２と、前記接着層６２を介して基布６１に積層されたバッキング層６３と、を有する。
なお、図５においては、糸のタフト方向を分かりやすく図示するため、パイル７を１本の糸で表しており、その他の断面図においては、ループ状のパイル７のボリューム感が出るように、パイル７を楕円形で表している。
【００２８】
前記基布６１は、特に限定されず、例えば、ポリエステル不織布又は織布、ポリプロピレンヘッシャン織布などが挙げられる。また、前記基布６１には、ＳＢＲ系、ＭＢＲ系、ＰＶＣ系ラテックス、及びＥＶＡ系などのプレコート剤が塗布されていてもよい。
基布６１の目付量は、特に限定されないが、例えば、９０ｇ／ｍ２〜１４０ｇ／ｍ２であり、好ましくは、１００ｇ／ｍ２〜１２０ｇ／ｍ２である。目付量が１００ｇ／ｍ２未満の基布６１を用いると、強度的に弱く、パイルを十分にタフトできないおそれがある。一方、目付量が１２０ｇ／ｍ２を越えた基布６１を用いると、施工時に折り曲げ難くなるおそれがある。
【００２９】
前記パイル７は、図示したようにループパイルである。ループパイルは、弾力性があり、衝撃吸収性に優れる上、歩行者の踏み感触も良いので好ましい。もっとも、パイル７は、カットパイルであってもよい。カットパイルを用いると、カット面による防滑効果があるので、階段昇降時の滑りを抑制できる効果がある。
パイル７は、基布６１の一方向にタフトされ、そのパイル７のタフト列が前記一方向と直交する方向に複数列並設されている。図示したパイル７は、ストレートタフトによって形成されている。なお、パイル７は、ニードルシフトによって形成されていてもよい。
【００３０】
前記パイル７の素材は、特に限定されず、例えば、ナイロン等のポリアミド系樹脂、ポリエステル系樹脂、ポリプロピレン系樹脂、ポリエチレン系樹脂、ポリビニルアルコール系樹脂などからなる公知の繊維加工糸を用いることができる。
【００３１】
各列のパイル７は、ゲージ方向（ゲージ方向は、段鼻部４に敷設されたときの、段鼻部４の前後方向に相当する）において、パイル高が部分的に異なっている。
図示例の段鼻敷設用カーペット６は、最も高い第１パイル７１と、最も低い第２パイル７２と、前記第１パイル７１と第２パイル７２との中間の高さの第３パイル７３と、の３種類の高さのパイル７を有する。
もっとも、段鼻敷設用カーペット６のパイル７はその高さが３種類である場合に限られず、前記第１パイル７１、及び、第２パイル７２又は第３パイル７３の２種類でもよいし、さらに、前記第１乃至第３パイル７１，７２，７３にさらに高さの異なるパイル７を含む４種類以上のパイル高のパイル７を有していてもよい。もっとも、パイル高の種類が多すぎると、製造に手間が掛かる上、各パイルの高低差による足裏の滑り防止効果やパイルの形状を感得する効果が弱まるので、２〜４種類のパイル高が好ましい。
【００３２】
第１パイル７１は、段鼻敷設用カーペット６の少なくとも第１側部に配置されている。段鼻敷設用カーペット６の第１側部６ａは、踏み面敷設用カーペット５の第２側部５ｂの縁に突き合わされる部分であって、段鼻敷設用カーペット６と踏み面敷設用カーペット５の境界の片側となる部分である。
一方向にタフトされた第１パイル７１は、ゲージ方向に３列並んでいる。この３列を一組とした第１パイル７１の隣りに、一方向にタフトされた２列一組の第２パイル７２が設けられ、以後、２列一組の第１パイル７１と２列一組の第２パイル７２が交互に設けられている。もっとも、第１パイル７１及び第２パイル７２の各一組の列数は、前記のように３列又は２列に限られず、それぞれ１列又は何れか一方が１列でもよい。
【００３３】
もっとも、段鼻敷設用カーペット６にパイル高の異なる部分を形成し、段鼻部４における足裏の滑りを防止する観点から、第１パイル７１及び第２パイル７２は、それぞれ複数列一組となって交互に配置されていることが好ましい。また、このように配置することにより、歩行者が足裏でパイル列の形状を感得しやすくなるので、段鼻部４を確認しながら階段を安全に昇降することができる。加えて、段鼻敷設用カーペット６のバッキング層６３がフェルト層を有するので、足先でパイル列をつかむ事ができるので、グリップ性が高くなる。
前述のように、第１パイル７１及び第２パイル７２の各列一組が交互に配置された後、一方向にタフトされた第３パイル７３の複数列が段鼻敷設用カーペット６の第２側部６ｂまで一連に設けられている。第１パイル７１及び第２パイル７２の配置された部分と、一方向にタフトされた第３パイル７３の部分の違いにより、歩行者が足裏でパイル列の形状を感得しやすくなるので、段鼻部４と踏み面２のパイルの違いを確認しやすくなって階段を安全に昇降することができる。
【００３４】
特に、第２パイル７２が２列又は３列一組で第１パイル７１の間に配置されている場合には、第２パイル７２が第１パイル７１の間に埋没することもなく、前記足裏の滑り防止効果を有し且つ視認性に優れた段鼻敷設用カーペット６を構成できる。この場合、第１パイル７１は、１列一組でもよいし、２列以上一組として配置されていてもよい。
第２パイル７２が１列一組で第１パイル７１の間に配置されている場合には、第２パイル７２が第１パイル７１の間に埋没するおそれがある。また、第２パイル７２が４列以上一組で第１パイル７１の間に配置されている場合には、第１パイル７１の各一組の間に配置された第２パイル７２の一組が、比較的広い溝のように存在することになり、足裏の滑り防止効果やパイルの形状を感得する効果を十分に発揮しないおそれがある。
【００３５】
第１パイル７１、第２パイル７２及び第３パイル７３の各パイル高は、適宜設定できる。
第１パイル７１のパイル高は、好ましくは、４ｍｍ〜６ｍｍである。第２パイル７２のパイル高は、好ましくは、２ｍｍ〜４ｍｍである。滑り難い段鼻敷設用カーペット６を構成するために、前記第１パイル７１と第２パイル７２のパイル高の差（第１パイル７１のパイル高−第２パイル７２のパイル高）は、２ｍｍ〜３ｍｍとされていることが好ましい。
第１パイル７１のパイル高が４ｍｍ未満であると、前記第１パイル７１と第２パイル７２のパイル高の差を２ｍｍ〜３ｍｍとするために、第２パイル７２が非常に低くなり、第２パイル７２が基布６１から欠落するおそれがある。一方、第１パイル７１のパイル高が６ｍｍを越えると、第１パイル７１のタフト方向における規則性が乱れ、所望の模様又は柄が形成できないおそれがある。
第１パイル７１と第２パイル７２のパイル高の差が２ｍｍ未満であると、両パイル７１，７２の高低差に基づく滑り防止効果を十分に発揮しないおそれがある。第１パイル７１と第２パイル７２のパイル高の差が３ｍｍを越えると、第２パイル７２が第１パイル７１の列間に埋没し、前記滑り防止効果を十分に発揮しないおそれがある上、所望の模様又は柄を形成できないおそれがある。
【００３６】
第３パイル７３のパイル高は、第１パイル７１よりも若干低いことが好ましく、例えば、第１パイル７１のパイル高よりも０．５ｍｍ〜１ｍｍ低いことが好ましい。
第３パイル７３のパイル高が第１パイル７１よりも１ｍｍを越えて低いと、段鼻敷設用カーペット６の敷設時にこれを段鼻部４の前端で折り曲げた際、第３パイル７３の列の間から基布６１が覗き出て、階段構造１の意匠性が低下するおそれがある。
【００３７】
本発明の段鼻敷設用カーペット６においては、第１パイル７１及び第２パイル７２の各パイル高を上記範囲にし且つ第１パイル７１及び第２パイル７２の各列一組をゲージ方向に交互に配置することにより、段鼻部４における足裏の滑り防止効果及びパイルの形状を感得する効果を奏すると共に、所望の模様又は柄を形成して視認性を良くしている。
なお、第１パイル７１を構成する加工糸の明度と第２パイル７２を構成する加工糸の明度の差を大きくすれば、段鼻部４においてより高い視認性を付与できる。前記より高い視認性を付与するための、第１パイル７１を構成する加工糸と第２パイル７２を構成する加工糸の色相の差又は明度の差は、ＪＩＳ  Ｚ８７２０に準じ、測色計によって測定した色相の差又は明度（Ｌ値）の差が２．０以上であることが好ましく、５．０以上であることがより好ましい。
【００３８】
第１パイル７１を構成する加工糸の太さは、特に限定されないが、パイル７の立体感、耐久性、第２パイル７２と模様を形成する際のバランス、滑り難さ、タフト加工性などの観点から、３０００ｄｔｅｘ〜６０００ｄｔｅｘが好ましい。３０００ｄｔｅｘ未満の糸を用いると、第１パイル７１による、耐久性、足裏の滑り防止などの機能を十分に担保できないおそれがある。一方、６０００ｄｔｅｘを越える糸を用いると、糸がニードルに入らずタフト加工が困難となるおそれがある。
【００３９】
第１パイル７１を構成する加工糸の形態としては、例えば、異種類の原料糸を引き揃えて撚り合わせた交撚糸、２色以上のマルチフィラメントを撚糸によることなく収束させた混繊糸などが挙げられる。前記混繊糸を使用すれば、模様又は柄のバリエーションを増やすことができるので好ましい。さらに、前記加工糸として、１本のフィラメント糸をタフト可能に加工したものを用いることもできる。この１本のフィラメントからなる加工糸を用いることにより、明度又は色彩のコントラストが強くなり、高い視認性を有し且つより際立った模様を呈する段鼻敷設用カーペット６を構成できる。
【００４０】
第２パイル７２を構成する加工糸の太さは、特に限定されないが、第１パイル７１と模様を形成する際のバランス、滑り難さ、タフト加工性などの観点から、２０００ｄｔｅｘ〜３０００ｄｔｅｘが好ましい。２０００ｄｔｅｘ未満の糸を用いると、第１パイル７１と第２パイル７２によって形成される模様又は柄が明瞭に視認できないおそれがある。一方、３０００ｄｔｅｘを越える糸を用いると、目付け量が過剰となり、所望の模様又は柄を形成できないおそれがある。また、第１パイル７１に３０００〜６０００ｄｔｅｘの比較的太い糸を用いているため、第２パイル７２に３０００ｄｔｅｘを越える比較的太い糸を用いると、それら太い糸同士が連続してゲージ方向に配置されるので、タフト加工性が悪くなる。
【００４１】
第２パイル７２を構成する加工糸の形態としては、第１パイル７１の加工糸と同様に、特に限定されない。第２パイル７２を構成する加工糸も、第１パイル７１の加工糸と同様に、交撚糸、混繊糸、１本のフィラメントを加工した糸などを適宜使用することができる。
【００４２】
第３パイル７３を構成する加工糸の太さは、特に限定されないが、意匠性、敷設時の折り曲げ易さなどの観点から、２０００ｄｔｅｘ〜３０００ｄｔｅｘが好ましい。２０００ｄｔｅｘ未満の糸を用いると、段鼻部４の前端で折り曲げた際に第３パイル７３の列の間から基布６１が覗き出て、階段構造１の意匠性が低下する。一方、３０００ｄｔｅｘを越える糸を用いると、目付け量が過剰となり、所望の模様又は柄を形成できないおそれがある。
第３パイル７３を構成する加工糸の形態としては、第１パイル７１の加工糸と同様に、特に限定されない。第２パイル７２を構成する加工糸も、第１パイル７１の加工糸と同様に、交撚糸、混繊糸、１本のフィラメントを加工した糸などを適宜使用することができる。
【００４３】
なお、第１パイル７１、第２パイル７２及び第３パイル７３は、同じ形態の加工糸（交撚糸、混繊糸、１本のフィラメントを加工した糸など）でもよいし、それぞれ異なる形態の加工糸を用いることもできる。
また、第１パイル７１、第２パイル７２及び第３パイル７３の各加工糸の素材は、同じでもよいし、それぞれ異なっていてもよい。
【００４４】
段鼻敷設用カーペット６の接着層６２は、基布６１とバッキング層６３を接着できるものであれば特に限定されない。接着層６２としては、ポリ塩化ビニル、ウレタン、エチレン−酢酸ビニル共重合体、ＳＢＲなどの合成樹脂を用いることができる。接着層６２には、合成樹脂以外に、顔料、安定剤、老化防止剤などの各種添加剤が配合されていてよい。
接着層６２の厚さは特に限定されないが、通常、０．５ｍｍ〜１．５ｍｍである。
【００４５】
段鼻敷設用カーペット６のバッキング層６３は、主としてフェルト層から構成される。
フェルトとしては、例えば、ポリエステルフェルト、ポリプロピレンフェルト、ナイロンフェルト、ニードルパンチングフェルト、羊毛フェルトなどを用いること中でも、耐久性、柔軟性に優れることから、ポリエステルフェルトが好適である。
バッキング層６３は、フェルト層を有することを条件として、他の層を有していてもよい。他の層としては、ジュート、ガラス繊維不織布、スパンボンド不織布などが挙げられる。バッキング層６３は、フェルト層のみ、又は、フェルト層及び非吸水層を有するものが好ましい。前記非吸水層を具備させることにより、施工時に用いる接着剤の染み込み量を抑えることができるので、接着剤の使用量を少なくすることができる上、接着剤がフェルト層に染み込みにくくなるので、衝撃吸収性や柔軟性などの低下を防止できる。
【００４６】
バッキング層６３の厚みは、特に限定されないが、１ｍｍ〜５ｍｍが好ましく、２ｍｍ〜４ｍｍがより好ましい。バッキング層６３の厚みが１ｍｍ未満であると、踏み感触が悪化し、さらに、衝撃吸収性も低下する。一方、バッキング層６３の厚みが５ｍｍを越えると、段鼻敷設用カーペット６の敷設時に段鼻部４の前端で折り曲げ難くなる。
【００４７】
バッキング層６３の目付量は、特に限定されないが、５０ｇ／ｍ２〜４００ｇ／ｍ２が好ましく、１００ｇ／ｍ２〜２００ｇ／ｍ２がより好ましい。バッキング層６３の目付量が５０ｇ／ｍ２未満であると、踏み感触が悪化し、さらに、衝撃吸収性も低下する。一方、バッキング層６３の目付量が４００ｇ／ｍ２を越えると、段鼻敷設用カーペット６を敷設する際に、段鼻部４に接着し難くなる。
【００４８】
＜踏み面敷設用カーペット＞
踏み面敷設用カーペット５は、図６〜図７に示すように、第１基布５１と、第１基布５１の上面から突出し且つ第１基布５１にタフト（植設）されたパイル８と、第１基布５１の下面に積層された接着層５２と、前記接着層５２を介して第１基布５１に積層されたバッキング層５３と、前記接着層５２とバッキング層５３の間に介装又は前記バッキング層５３の中間部に埋設された第２基布５４と、を有する。
この踏み面敷設用カーペット５は、踏み面２だけでなく、蹴上げ面３にも敷設できる長さに形成されている。
【００４９】
前記第１基布５１は、特に限定されず、例えば、上記段鼻敷設用カーペット６で用いた基布６１で例示したものが挙げられる。
第１基布５１は、段鼻敷設用カーペット６の基布６１と同じでもよいし、或いは、異なっていてもよい。
【００５０】
踏み面敷設用カーペット５のパイル８は、図示したようにループパイルである。ループパイルは、衝撃吸収性や歩行者の踏み感触の点から好ましいが、踏み面敷設用カーペット５のパイル８は、カットパイルであってもよい。
このパイル８は、第１基布５１の一方向にタフトされ、そのパイル８のタフト列が前記一方向と直交する方向に複数列並設されている。図示したパイル８は、ストレートタフトによって形成されている。なお、パイル８は、ニードルシフトによって形成されていてもよい。
【００５１】
踏み面敷設用カーペット５のパイル８の素材は、特に限定されず、例えば、上記段鼻敷設用カーペット６で用いたパイル７で例示したものが挙げられる。
踏み面敷設用カーペット５のパイル８は、段鼻敷設用カーペット６のパイル７と同じ素材でもよいし、或いは、異なっていてもよい。
踏み面敷設用カーペット５のパイル８は、全体的に同じ色彩又は柄で構成されていることが好ましい。本実施形態の踏み面敷設用カーペット５は、踏み面２及び蹴上げ面３に敷設可能なので、それを全体的に同じ色彩又は柄にすることにより、１段の踏み面２から蹴上げ面３までが繋がっているように見え、階段構造１の意匠性が良好となる。
【００５２】
踏み面敷設用カーペット５の各列のパイル８は、ゲージ方向及びタフト方向において、パイル高が同じとされている。
もっとも、踏み面敷設用カーペット５の各列のパイル８は、ゲージ方向及びタフト方向の少なくとも何れか一方の方向において、パイル高が異なる部分を有していてもよい。
踏み面敷設用カーペット５のゲージ方向は、踏み面２に敷設されたとき、踏み面２の前後方向又は横方向に相当し、踏み面敷設用カーペット５のタフト方向は、踏み面２に敷設されたとき、踏み面２の横方向又は前後方向に相当する。
【００５３】
踏み面敷設用カーペット５の各パイル８のパイル高は、特に限定されないが、例えば、４ｍｍ〜６ｍｍである。
段鼻敷設用カーペット６の第１側部６ａの縁に突き合わされる踏み面敷設用カーペット５の第２側部５ｂにおけるパイル８のパイル高は、前記段鼻敷設用カーペット６の第１側部６ａに配置された第１パイル７１のパイル高と同じか、又は、それよりも１．５ｍｍ以下の範囲で低くされていることが好ましい。
なお、踏み面敷設用カーペット５の各列のパイル８のパイル高が異なる場合には、踏み面敷設用カーペット５の第２側部５ｂにおける複数列（好ましくは２列〜４列）のパイル８のパイル高が、前記段鼻敷設用カーペット６の第１側部６ａに配置された第１パイル７のパイル高と同じか、又は、それよりも１．５ｍｍ以下の範囲で低くされていることが好ましい。
【００５４】
踏み面敷設用カーペット５のパイル８を構成する加工糸の太さは、特に限定されないが、踏み感触の良さ、意匠性などの観点から、２０００ｄｔｅｘ〜３０００ｄｔｅｘが好ましい。２０００ｄｔｅｘ未満の糸を用いると、踏み感触や耐久性が悪くなるおそれがある。一方、３０００ｄｔｅｘを越える糸を用いると、踏み面敷設用カーペット５と段鼻敷設用カーペット６との歩行感の差が小さくなり、歩行者が段鼻部４を足裏の感触によって認識することを期待できなくなる。
【００５５】
踏み面敷設用カーペット５のパイル８を構成する加工糸の形態としては、上記段鼻敷設用カーペット６のパイル７で例示したような、交撚糸、混繊糸、１本のフィラメントを加工した糸などが挙げられる。
【００５６】
踏み面敷設用カーペット５の接着層５２は、特に限定されず、上記段鼻敷設用カーペット６の接着層６２で例示したようなものが挙げられる。
踏み面敷設用カーペット５のバッキング層５３は、特に限定されないが、耐久性に優れ且つ切断しやすいことから、合成樹脂層から構成されていることが好ましい。
この合成樹脂としては、例えば、ポリ塩化ビニル系、ポリオレフィン系、エチレン−酢酸ビニル共重合体、エチレン−メタクリレート樹脂などのアクリル系、ポリアミド系、エステル系、オレフィン系エラストマー、スチレン系エラストマー、ゴムなどが挙げられる。中でも、耐久性及び柔軟性に優れることから、塩化ビニル樹脂が好適である。
踏み面敷設用カーペット５のバッキング層５３の厚みは、特に限定されないが、１ｍｍ〜５ｍｍが好ましく、２ｍｍ〜４ｍｍがより好ましい。
【００５７】
第２基布５４は、特に限定されず、不織布、織布、ガラスマット及び紙などが挙げられ、好ましくは不織布、ガラスマット又は織布であり、より好ましくはガラスマットである。第２基布５４としてガラスマットなどのガラス繊維からなる基材を用いることにより、踏み面敷設用カーペット５の寸法安定性及び強度を向上できる。
【００５８】
＜カーペット階段構造の施工＞
前記踏み面敷設用カーペット５及び段鼻敷設用カーペット６を、階段に敷設することにより、本発明のカーペット階段構造１が得られる。
踏み面敷設用カーペット５及び段鼻敷設用カーペット６は、通常、接着剤を用いて、階段に敷設される。
踏み面敷設用カーペット５及び段鼻敷設用カーペット６の敷設順序は特に限定されず、何れを先に階段に敷設してもよい。
【００５９】
踏み面敷設用カーペット５及び段鼻敷設用カーペット６は、通常、接着剤を介して階段に接着される。
踏み面敷設用カーペット５及び段鼻敷設用カーペット６の下面に接着剤を塗布してもよいし、階段に接着剤を塗布してもよい。
接着剤は、適度な粘度と接着強度を有するものであれば、その種類は特に限定されず、例えば、二液タイプのエポキシ樹脂系接着剤、二液タイプ又は一液タイプのウレタン系接着剤などを用いることができる。中でも、接着性に優れていることから、二液タイプのエポキシ樹脂系接着剤が好適である。
【００６０】
敷設にあたっては、まず、階段を清掃して、段鼻部４、蹴上げ面３及び踏み面２の横方向長さ及び前後方向長さを測定する。
段鼻部４、蹴上げ面３及び踏み面２の寸法に合わせて、段鼻敷設用カーペット６及び踏み面敷設用カーペット５を裁断する。そして、最下段の段鼻部４、蹴上げ面３及び踏み面２に、接着剤を塗布した後、蹴上げ面３から踏み面２にわたって、踏み面敷設用カーペット５を貼り付ける。なお、踏み面敷設用カーペット５は、蹴上げ面３と踏み面２の境界で略直角状に折り曲げてもよいし、踏み面敷設用カーペット５を２つに切断して、それらを蹴上げ面３と踏み面２にそれぞれ貼り付けてもよい。図１に示す階段構造１は、踏み面敷設用カーペット５を２つに切り、それらを蹴上げ面３と踏み面２の交差部に突き当ててそれぞれ貼り付けた例である。
踏み面敷設用カーペット５は、そのパイル８のタフト方向が踏み面２の横方向となるように敷設される。
【００６１】
次いで、段鼻敷設用カーペット６のタフト方向が段鼻部４の横方向となるようにし且つ踏み面敷設用カーペット５の第２側部５ｂの縁に段鼻敷設用カーペット６の第１側部６ａの縁を突き合わせて、段鼻敷設用カーペット６を段鼻部４に貼り付ける。上記のように、段鼻部４の前端が蹴上げ面３よりも前方へ突出している段鼻構造にあっては、段鼻敷設用カーペット６を段鼻部４に貼り付けると共に、それを立面部４１に沿うように略９０度に折り曲げ、さらに、段鼻部４とは反対側の下面部４２に沿うように略９０度折り曲げる。このようにして、段鼻部４、立面部４１及び下面部４２からなる段鼻構造を、段鼻敷設用カーペット６によって被覆することにより、図１及び図２に示すようなカーペット階段構造１を構築できる。段鼻敷設用カーペット６のタフト方向が段鼻部４の横方向であるので、段鼻敷設用カーペット６を前記段鼻構造に沿わせて折り曲げ易くなる。さらに、バッキング層６３がフェルト層を有するので、段鼻構造への密着性を高めることができ、施工性に優れる上、段鼻敷設用カーペット６の浮きや剥がれが生じ難く、耐久性に優れ、長期間に渡って安定した構造を維持することができる。
【００６２】
かかるカーペット構造においては、段鼻敷設用カーペット６と踏み面敷設用カーペット５の境界において、段鼻敷設用カーペット６の第１パイル７１と踏み面敷設用カーペット５のパイル８が連なっており、前記境界の両側におけるパイル高は、同じか又は段鼻敷設用カーペット６のパイル高が１．５ｍｍ以下の範囲で高くなっている。
段鼻部４及び踏み面２においては、それぞれのパイル７，８が横方向にタフトされ且つそのパイル７，８の列が前後方向に並んでいる。
また、段鼻部４においては、段鼻敷設用カーペット６の第１パイル７１及び第２パイル７２の各列一組が前後方向に交互に配置されており、立面部４１及び下面部４２においては、段鼻敷設用カーペット６の第３パイル７３が配置されている。
この第１パイル７１及び第２パイル７２の各列一組が前後方向に交互に配置された部分は、段鼻部４の前後方向長さＬと略等しい。
【００６３】
＜段鼻敷設用カーペット及び踏み面敷設用カーペットの変形例＞
上記実施形態では、段鼻敷設用カーペット６と踏み面敷設用カーペット５は、別個独立したカーペットからなるが、例えば、図８及び図９に示すように、段鼻敷設用カーペット６と踏み面敷設用カーペット５が一体的に構成された１枚のカーペット９から構成されていてもよい。
なお、変形例に係るカーペットについては、上記実施形態と異なる箇所について説明する。上記実施形態と同様の構成要素については、その説明を省略し、図８及び図９に上記実施形態で説明した各構成要素の符号をそのまま記すことによって変形例に係るカーペットについても上記実施形態の各構成要素を有するものとする。
【００６４】
この一体化された段鼻及び踏み面敷設用カーペット９には、段鼻敷設用カーペット６で例示したフェルト層を有するバッキング層６３が用いられ、上記踏み面敷設用カーペット５の第２基布５４は省略される。その他の層構成は、段鼻敷設用カーペット６と同様である。
また、段鼻及び踏み面敷設用カーペット９のパイルは、上記段鼻敷設用カーペット６及び踏み面敷設用カーペット５の各パイル７，８に準じて形成できる。図示例の段鼻及び踏み面敷設用カーペット９は、上記段鼻敷設用カーペット６の第２側部６ｂの縁に上記踏み面敷設用カーペット５の第１側部５ａの縁を連続させたときと同様な、パイル配置になっている。このように構成することによって、踏み面の衝撃吸収性に加え、階段昇降時に歩行者の足音を吸音する効果も高めることができる。
【００６５】
また、上記実施形態では、踏み面敷設用カーペット５は、踏み面２及び蹴上げ面３の双方を覆うことができる大きさに形成されているが、踏み面２だけを覆うことができる大きさに形成されていてもよい。段鼻敷設用カーペット６と踏み面敷設用カーペット５が一体的に構成された変形例に係る段鼻及び踏み面敷設用カーペット９についても、段鼻部４、踏み面２及び蹴上げ面３を覆うことができる大きさに限られず、踏み面２及び段鼻部４のみを覆うことができる大きさに形成されていてもよい。
【００６６】
＜カーペット階段構造の変形例＞
上記実施形態では、踏み面敷設用カーペット５を、そのパイル８のタフト方向が踏み面２の横方向又は前後方向の何れか一方に平行となるように敷設する場合を例にしたが、これに限定されない。例えば、踏み面敷設用カーペット５を、踏み面全体よりも小さな面積に裁断して幾つかのカーペット小片とし、このカーペット小片のタフト方向が踏み面２の横方向と前後方向に交互になるように、カーペット小片を敷き詰めてもよい。
【産業上の利用可能性】
【００６７】
本発明のカーペット階段構造１は、一般住宅、集合住宅、マンション、商業施設、教育施設、医療福祉施設、オフィスビルなどの各種構造物に利用できる。
【符号の説明】
【００６８】
１…カーペット階段構造、２…踏み面、３…蹴上げ面、４…段鼻部、５…踏み面敷設用カーペット、５１…踏み面敷設用カーペットの基布、５３…踏み面敷設用カーペットのバッキング層、６…段鼻敷設用カーペット、６１…段鼻敷設用カーペットの基布、６３…段鼻敷設用カーペットのバッキング層、７…段鼻敷設用カーペットのパイル、８…踏み面敷設用カーペットのパイル
【図１】
0005771859.tif 000002
【図２】
0005771859.tif 000003
【図３】
0005771859.tif 000004
【図４】
0005771859.tif 000005
【図５】
0005771859.tif 000006
【図６】
0005771859.tif 000007
【図７】
0005771859.tif 000008
【図８】
0005771859.tif 000009
【図９】
0005771859.tif 000010